【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
複数のマイクロレンズそれぞれに対して複数の光電変換部を備える撮像素子であって、
前記複数の光電変換部のうちの一部の光電変換部から信号を読み出す第１の駆動方法と前記第１の駆動方法よりも多数の光電変換部から信号を読み出す第２の駆動方法とで駆動することが可能な読み出し手段と、
前記第１の駆動方法により信号を読み出す場合に、前記第２の駆動方法により信号を読み出す場合よりも少ない電流量を前記読み出し手段に供給する供給手段と
を有することを特徴とする撮像素子。
【請求項２】
複数のマイクロレンズそれぞれに対して複数の光電変換部を備える撮像素子であって、前記複数の光電変換部のうちの一部の光電変換部から信号を読み出す第１の駆動方法と前記第１の駆動方法よりも多数の光電変換部から信号を読み出す第２の駆動方法とで駆動することが可能な読み出し手段を有する撮像素子と、
前記第１の駆動方法により前記一部の光電変換部から出力された信号を読み出す際に前記読み出し手段に供給する電流量を制御する制御手段と
を有することを特徴とする撮像装置。
【請求項３】
前記撮像素子の焦点検出領域を選択する選択手段を有し、前記制御手段は、前記選択手段により選択された前記焦点検出領域を含まない行の光電変換部から信号を読み出す際に、前記第１の駆動方法により前記一部の光電変換部から信号を読み出す間、供給する電流量を少なくするように制御することを特徴とする請求項２に記載の撮像装置。
【請求項４】
前記制御手段は、読み出し行と前記焦点検出領域との距離が、前記焦点検出領域を含むように設定された第１の距離よりも大きい第２の距離以上である場合、前記第２の距離未満の場合よりも、前記第１の駆動方法により前記一部の光電変換部から出力された信号を読み出す間に供給する電流量を少なくするように制御することを特徴とする請求項３に記載の撮像装置。
【請求項５】
前記撮像素子の状態を検出する検出手段を有し、前記制御手段は、前記検出手段により検出された温度が予め決められた第１の温度以上である場合、前記第１の駆動方法により前記一部の光電変換部から出力された信号を読み出す間に前記読み出し手段に供給する電流量を少なくするように制御することを特徴とする請求項２に記載の撮像装置。
【請求項６】
前記制御手段は、前記検出された温度が、前記第１の温度よりも高い予め決められた第２の温度以上である場合、前記第２の温度より低い場合よりも、前記第１の駆動方法により前記一部の光電変換部から出力された信号を読み出す間に供給する電流量を少なくするように制御することを特徴とする請求項５に記載の撮像装置。
【請求項７】
前記制御手段は、前記撮像素子の状態を検出する検出手段により検出された設定感度が予め決められた第１の設定感度以上の場合、前記第１の駆動方法により前記一部の光電変換部から出力された信号を読み出す間に供給する電流量を少なくするように制御することを特徴とする請求項２乃至６のいずれか１項に記載の撮像装置。
【請求項８】
前記制御手段は、前記検出された設定感度が、前記第１の設定感度より高い予め決められた第２の設定感度より低い場合、前記第２の設定感度以上の場合よりも、前記第１の駆動方法により前記一部の光電変換部から出力された信号を読み出す間に供給する電流量を少なくするように制御することを特徴とする請求項７に記載の撮像装置。
【請求項９】
前記制御手段は、前記撮像素子の状態を検出する検出手段により検出されたフレームレートが予め決められた第１のフレームレートより高い場合、前記第１の駆動方法により前記一部の光電変換部から出力された信号を読み出す間に供給する電流量を少なくするように制御することを特徴とする請求項２乃至８のいずれか１項に記載の撮像装置。
【請求項１０】
前記制御手段は、前記検出されたフレームレートが、前記第１のフレームレートよりも高い予め決められた第２のフレームレートより高い場合、前記第２のフレームレート以下の低い場合よりも、前記第１の駆動方法により前記一部の光電変換部から出力された信号を読み出す間に供給する電流量を少なくするように制御することを特徴とする請求項９に記載の撮像装置。
【請求項１１】
前記制御手段は、前記電流量を少なくする場合、前記第２の駆動方法により前記光電変換部から出力された信号を読み出す場合に供給する電流量よりも少なくするように制御することを特徴とする請求項３乃至１０のいずれか１項に記載の撮像装置。
【請求項１２】
複数のマイクロレンズそれぞれに対して複数の光電変換部を備える撮像素子であって、前記複数の光電変換部のうちの一部の光電変換部から信号を読み出す第１の駆動方法と前記第１の駆動方法よりも多数の光電変換部から信号を読み出す第２の駆動方法とで駆動することが可能な読み出し手段を有する撮像素子と、
前記第１の駆動方法により前記一部の光電変換部から出力された信号を読み出す際に、前記第２の駆動方法により前記光電変換部から出力された信号を読み出す場合よりも供給する電流量を少なくするように制御することが可能な制御手段と
を有することを特徴とする撮像装置。
【請求項１３】
前記撮像素子の焦点検出領域を選択する選択手段を有し、前記制御手段は、前記選択手段により選択された前記焦点検出領域を含まない行の光電変換部から信号を読み出す際に、前記第１の駆動方法により前記一部の光電変換部から信号を読み出す間、前記少ない電流量を供給することを特徴とする請求項１２に記載の撮像装置。
【請求項１４】
前記制御手段は、読み出し行と前記焦点検出領域との距離が、前記焦点検出領域を含むように設定された第１の距離よりも大きい第２の距離以上である場合、第２の距離未満の場合よりも、前記第１の駆動方法により前記一部の光電変換部から出力された信号を読み出す間に供給する電流量を少なくするように制御することを特徴とする請求項１３に記載の撮像装置。
【請求項１５】
前記制御手段は、前記撮像素子の状態を検出する検出手段により検出された温度が予め決められた第１の温度以上である場合に、前記少ない電流量を供給することを特徴とする請求項１２に記載の撮像装置。
【請求項１６】
前記制御手段は、前記撮像素子の状態を検出する検出手段により検出された設定感度が予め決められた第１の設定感度以上である場合に、前記少ない電流量を供給することを特徴とする請求項１２乃至１５のいずれか１項に記載の撮像装置。
【請求項１７】
前記制御手段は、前記撮像素子の状態を検出する検出手段により検出されたフレームレートが予め決められた第１のフレームレートより高い場合に、前記少ない電流量を供給するを特徴とする請求項１２乃至１６のいずれか１項に記載の撮像装置。
【請求項１８】
前記複数の光電変換部はそれぞれ２つの光電変換部からなり、前記第１の駆動方法により読み出された信号と、前記第１の駆動方法よりも多数の光電変換部から信号を読み出す第２の駆動方法により読み出された信号から前記第１の駆動方法により読み出された信号を差分した信号とに基づいて、焦点検出を行う焦点検出手段を更に有することを特徴とする請求項２乃至１７のいずれか１項に記載の撮像装置。
【請求項１９】
複数のマイクロレンズそれぞれに対して複数の光電変換部を備える撮像素子であって、前記複数の光電変換部のうちの一部の光電変換部から信号を読み出す第１の駆動方法と前記第１の駆動方法よりも多数の光電変換部から信号を読み出す第２の駆動方法とで駆動することが可能な読み出し手段を有する撮像素子を有する撮像装置の制御方法であって、
前記第１の駆動方法により前記一部の光電変換部から出力された信号を読み出す際に前記読み出し手段に供給する電流量を制御することを特徴とする制御方法。
【請求項２０】
複数のマイクロレンズそれぞれに対して複数の光電変換部を備える撮像素子であって、前記複数の光電変換部のうちの一部の光電変換部から信号を読み出す第１の駆動方法と前記第１の駆動方法よりも多数の光電変換部から信号を読み出す第２の駆動方法とで駆動することが可能な読み出し手段を有する撮像素子を有する撮像装置の制御方法であって、
制御手段が、前記第２の駆動方法により前記光電変換部から出力された信号を読み出す際、第１の電流量の電流を供給するように制御する工程と、
前記制御手段が、前記第１の駆動方法により前記一部の光電変換部から出力された信号を読み出す間、前記第１の電流量よりも少ない第２の電流量の電流を供給するように制御する工程と
を有することを特徴とする制御方法。
【手続補正２】
【補正対象書類名】明細書
【補正対象項目名】００５５
【補正方法】変更
【補正の内容】
【００５５】
以上のように、本第２の実施形態によれば、撮像装置の焦点検出領域に基づいて、供給手段が供給する駆動電流値を制御することで、焦点検出精度を保ちつつ、撮像素子の消費電力を低減させることが可能となる。
【手続補正３】
【補正対象書類名】明細書
【補正対象項目名】００６２
【補正方法】変更
【補正の内容】
【００６２】
Ｓ８０８では動画撮影が終了したか判断する。終了していない場合、Ｓ８０９へ進み、再び撮像装置内部の温度Ｘを取得する。その後、Ｓ８０３へ戻り、動画が停止されるまで上記の処理を繰り返す。
【手続補正４】
【補正対象書類名】明細書
【補正対象項目名】００６８
【補正方法】変更
【補正の内容】
【００６８】
一方、Ｍ≧ｍ１（第１の設定感度以上）であればＳ１００５へ進み、更に、撮影感度Ｍと予め決められた感度ｍ２とを比較して、ｍ1≦Ｍ＜ｍ２であるかを判断する。ｍ1≦Ｍ＜ｍ２であればＳ１００６へ進み、焦点検出用の信号（Ａ像信号）の読み出し時の読み出し回路３の駆動電流値を、例えば、図１２（ｂ）に示すＩ2mに設定する。一例として、ＩＳＯ３２００以上ＩＳＯ１２８００未満の場合に、通常画像用の信号に対し所定のオペアンプ２０３の駆動電流を増加させる必要があるとする。その場合、撮影感度ＭがＩＳＯ３２００以上ＩＳＯ１２８００未満であれば焦点検出用の信号（Ａ像信号）の読み出し時の読み出し回路３の駆動電流値をＩ2mに設定する。ここでのＩ2mは、撮影感度ＭがＩＳＯ３２００以上ＩＳＯ１２８００未満の場合における通常画像用の信号読み出し時の読み出し回路３の駆動電流値より小さい値とする。
【手続補正５】
【補正対象書類名】明細書
【補正対象項目名】００７７
【補正方法】変更
【補正の内容】
【００７７】
一方、Ｆ＞ｆ１であればＳ１１０４へ進み、更に、フレームレートＦと予め決められたフレームレートｆ２（ｆ１＜ｆ２）とを比較して、ｆ1＜Ｆ≦ｆ２であるかを判断する。ｆ1＜Ｆ≦ｆ２（第１のフレームレートより高く、第２のフレームレート以下）であればＳ１１０５へ進み、焦点検出用の信号（Ａ像信号）の読み出し時の読み出し回路３の駆動電流値を、例えば、図１２に示すＩ2に設定する。一例として、フレームレートｆ２を６０ｆｐｓとした場合、設定フレームレートＦが３０ｆｐｓ＜Ｆ≦６０ｆｐｓの場合には焦点検出用の信号（Ａ像信号）の読み出し時の読み出し回路３の駆動電流値をＩ2に設定する。なお、ここでの駆動電流値Ｉ2は、通常画像用の信号読み出し時の読み出し回路３の駆動電流値より小さい値とする。
【手続補正６】
【補正対象書類名】図面
【補正対象項目名】図７
【補正方法】変更
【補正の内容】
【図７】
2016012908.tif 000001
【手続補正７】
【補正対象書類名】図面
【補正対象項目名】図１１
【補正方法】変更
【補正の内容】
【図１１】
2016012908.tif 000002
【手続補正８】
【補正対象書類名】図面
【補正対象項目名】図１３
【補正方法】変更
【補正の内容】
【図１３】
2016012908.tif 000003
【手続補正９】
【補正対象書類名】図面
【補正対象項目名】図１４
【補正方法】変更
【補正の内容】
【図１４】
2016012908.tif 000004